(57)【要約】【課題】冷蔵室内の下部には上部の冷蔵室と区画板にて区画された特定低温室を形成した従来の冷蔵庫では、冷蔵室に設置した複数段の棚は、その設置高さを任意に変更できるようにするために取り外し自在であるが、前記区画板は特定低温室の上壁を形成するために取り外しできる構成とはなっていない。このため上部の冷蔵室に貯蔵した液体物や粘性物がこの区画板上に零れた場合、時間が経ってからはこの零れた液体物や粘性物がこの区画板で固まって拭き取りが困難になり、液体物や粘性物の掃除が大変である。本発明は、この点の改良に係る。【解決手段】前面開口の冷蔵庫本体内に複数段に物品載置棚を配置した冷蔵室が形成され、この冷蔵室内の下部に区画板にて上部の冷蔵室と区画して特定低温室を形成した冷蔵庫において、前記物品載置棚と前記区画板とを同一形態の取り外し自在な棚板構造としたこと。【選択図】      図１
2004239448.tif 000002
【特許請求の範囲】
【請求項１】
前面開口の冷蔵庫本体内に複数段に物品載置棚を配置した冷蔵室が形成され、この冷蔵室内の下部に区画板にて上部の冷蔵室と区画して特定低温室を形成した冷蔵庫において、前記物品載置棚と前記区画板とを同一形態の取り外し自在な棚板構造としたことを特徴とする冷蔵庫。
【請求項２】
前記物品載置棚と前記区画板は、後部が前記冷蔵室の後壁に設けた係止部に着脱自在に係止され、左右両側が前記冷蔵室の左右側壁に設けたレールに前後方向に引き出し自在に載置されたことを特徴とする請求項１に記載の冷蔵庫。
【発明の詳細な説明】
【０００１】
【発明の属する技術分野】
本発明は、前面開口の冷蔵庫本体内の冷蔵室内の下部に区画板にて上部の冷蔵室と区画して特定低温室を形成した冷蔵庫に関する。
【０００２】
【従来の技術】
前面開口の冷蔵庫本体内に複数段に物品載置棚を配置した冷蔵室が形成され、この冷蔵室内の下部に区画板にて上部の冷蔵室と区画して特定低温室を形成した冷蔵庫がある（例えば、特許文献１参照）。
【０００３】
特許文献１の冷蔵庫は、上部に設けた冷蔵室には複数段に棚が設置され、冷蔵室内の下部には上部の冷蔵室と区画板にて区画された特定低温室を形成し、上部の冷蔵室と特定低温室に冷気を循環して所定温度に冷却するものである。この種の冷蔵庫では、冷蔵室に設置した複数段の棚は、その設置高さを任意に変更できるようにするために取り外し自在であるが、前記区画板は特定低温室の上壁を形成するために取り外しできる構成とはなっていない。
【０００４】
このため、上部の冷蔵室に貯蔵した液体物や粘性物がこの区画板上に零れた場合には、布巾などで拭き取ることになる。しかし、零れて直ぐに拭き取れば拭き取りやすいが、時間が経ってからはこの零れた液体物や粘性物がこの区画板で固まって拭き取りが困難になり、液体物や粘性物の掃除が大変である。
【０００５】
【特許文献１】
特開２００２−１０７０４０号公報（第２頁、図３）
【０００６】
【発明が解決しようとする課題】
本発明は、上記の点に鑑みて、上部の冷蔵室に貯蔵した液体物が特定低温室上の区画板上に零れた場合にも、その清掃が容易に行える構成の冷蔵庫を提供するものである。
【０００７】
【課題を解決するための手段】
本発明の冷蔵庫は、前面開口の冷蔵庫本体内に複数段に物品載置棚を配置した冷蔵室が形成され、この冷蔵室内の下部に区画板にて上部の冷蔵室と区画して特定低温室を形成した冷蔵庫において、前記物品載置棚と前記区画板とを同一形態の取り外し自在な棚板構造としたことを特徴とする。また、前記物品載置棚と区画板は、後部が前記冷蔵室の後壁に設けた係止部に着脱自在に係止され、左右両側が前記冷蔵室の左右側壁に設けたレールに前後方向に引き出し自在に載置されたことを特徴とする。
【０００８】
これによって、前記物品載置棚と前記区画板は、取り外して水洗いなどができるため、付着した液体や粘性物などの取り除き作業が容易となる。そして、前記物品載置棚と前記区画板が共通性をもっていることにより、構成の共通化を図ることができ、清掃後の冷蔵室内への設置も簡単になる。更に、前記物品載置棚と区画板は、後部が前記冷蔵室の後壁に設けた係止部に係止されているため、前方への移動が制限されて安定した設置状態が維持でき、取り外しの際には、この係止を外して左右レール上をスライドにて引き出すことができ、取り外し時と挿入時にはこのレールを利用できるため、作業がし易くなる。
【０００９】
【発明の実施の形態】
次に、本発明の実施の形態について説明する。各図は本発明の実施形態を示しており、図１は本発明に係る冷蔵庫の縦断側面、図２は本発明に係る物品載置棚又は区画板の支持構造を示す説明図、図３は本発明に係る物品載置棚又は区画板の支持構造の断面図である。
【００１０】
これらの図において、Ｒは冷却貯蔵庫の一つである冷蔵庫であり、前面開口の冷蔵庫本体１内を区画して複数の貯蔵室を形成し、これら各貯蔵室の前面は扉で開閉できる構成である。この冷蔵庫において、１は断熱箱体を構成する冷蔵庫本体であり、外箱（外壁板）３と内箱（内壁板）２とを組み合わせて外箱（外壁板）３と内箱（内壁板）２との間に断熱材充填空間３０を形成し、この断熱材充填空間３０に発泡性断熱材４を充填した断熱構造である。冷蔵庫本体１内には、貯蔵室として上から冷蔵室５、野菜室６、冷凍室７が区画されて設けられ、冷蔵室５内には複数段に板状棚で構成した物品載置棚８が設けられている。冷蔵室５内の下部にはその上方の冷蔵室５と区画板８０にて区画された特定低温室９が設けられ、また冷凍室７は上冷凍室１０と下冷凍室１１に区分されている。
【００１１】
冷蔵室５の前面開口は、冷蔵庫本体１の一側部にヒンジ装置にて横方向に回動して開閉される回動式の冷蔵室扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１２】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却される氷温室と称されるものや、０℃よりも高く冷蔵室５よりも若干低い温度のチルド室と称するもの等である。
【００１３】
特定低温室９内には、特定低温室９の左右側壁に設けたレール４０に前後方向に水平状態で引き出し自在に支持した容器２７が収納されている。物品載置棚８と区画板８０とは、同一形態の取り外し自在な棚板構造である。このため、その取り付け構造の共通化を図ることができる。また、物品載置棚８と区画板８０とが同一形態であれば、取り外した後、再度取り付ける場合にも余計な注意が不要であり、棚８と区画板８０とを取り違えても、取り付けには何ら問題はない。
【００１４】
物品載置棚８と区画板８０との取り外し自在な棚板構造の一つの構成として、物品載置棚８と区画板８０は、下方へ屈曲した係止部４１が後端部に形成され、この係止部４１が冷蔵室５の後壁５Ａに設けた係止部４２に着脱自在に係止され、左右両側が冷蔵室５の左右側壁に設けたレール４３に前後方向に引き出し自在に載置された構成をなす。
【００１５】
係止部４２は、その後端の基部４５が冷蔵室５の後壁５Ａに形成した係止孔４４に挿入された状態で抜け止め状態に係止し、前端には上方へ屈曲した係止凸部４６が形成された形状であり、この係止凸部４６に物品載置棚８と区画板８０の係止部４１が上方から引っ掛かる状態で係止する。物品載置棚８と区画板８０はレール４３に左右両側が載置され後部がこの係止状態となって正規の設置状態となる。この状態で、物品載置棚８と区画板８０の前方への移動が制限され、冷蔵庫の使用の際にも物品載置棚８と区画板８０が安定に保持される。清掃などの際には、物品載置棚８と区画板８０は、その後部を持ち上げて係止凸部４６から係止部４１を外した状態でレール４３上をスライドさせて前方へ引き出すことができる。
【００１６】
物品載置棚８と区画板８０は、物品の主たる載置部分Ｑはデザイン性を考慮して合成樹脂製の平板状に形成し、この載置部分Ｑの後端に物品載置棚８と区画板８０の略横幅に亘る幅でもって係止部４１を形成する部分を形成している。この載置部分Ｑと係止部４１とは合成樹脂で一体成形した構成でもよいが、強度を保つためには、載置部分Ｑを合成樹脂製とし、係止部４１を金属製として、載置部分Ｑを合成樹脂成形するときに係止部４１をこの合成樹脂と接着するように両者を一体成形する構成が好ましい。
【００１７】
このような構成によって、物品載置棚８と区画板８０は、取り外して水洗いなどができるため、付着した液体や粘性物などの取り除き作業が容易となる。そして、物品載置棚８と区画板８０が共通性をもっていることにより、清掃後の冷蔵室５内への設置も簡単になる。
【００１８】
本発明は、上記実施形態に限定されず、種々の形態の冷蔵庫に適用でき、本発明の技術的範囲を逸脱しない限り種種の変更が考えられ、それに係る種種の実施形態を包含するものである。
【００１９】
【発明の効果】
本発明によって、物品載置棚と区画板は、取り外して水洗いなどができるため、付着した液体や粘性物などの取り除き作業が容易となる。また、物品載置棚と区画板が共通性をもっていることにより構造の共通化が図れる。更に、物品載置棚と区画板が同一形態であれば、清掃後の冷蔵室内への設置も簡単になる。
【００２０】
また、本発明では、物品載置棚と区画板は、後部が冷蔵室の後壁に設けた係止部に係止されているため、前方への移動が制限されて安定した設置状態が維持できる。また、取り外しの際には、この係止を外して左右レール上をスライドにて引き出すことができ、取り外し時と挿入時にはこのレールを利用できるため、作業がし易くなる。
【００２１】
また、本発明では、区画板を取外せば、特定低温室をその上方の冷蔵室と同じ温度に使用できるため、特定低温室を二通りの使用に供することができる。
【図面の簡単な説明】
【図１】本発明に係る冷蔵庫の縦断側面である。
【図２】本発明に係る物品載置棚又は区画板の支持構造を示す説明図である。
【図３】本発明に係る物品載置棚又は区画板の支持構造の断面図である。
【符号の説明】
１・・・冷蔵庫本体
４・・・発泡性断熱材
５・・・冷蔵室
８・・・物品載置棚
９・・・特定低温室
１２・・冷蔵室扉
４１・・係止部
４２・・冷蔵室後壁の係止部
４３・・レール
４４・・係止孔
４５・・基部
４６・・係止凸部
【図１】
2004239448.tif 000003
【図２】
2004239448.tif 000004
【図３】
2004239448.tif 000005